(57)【要約】      （修正有）【課題】構造の単純化及び小型化を実現することができる電極コネクタを提供する。【解決手段】電極コネクタ１は、支点３を介して開閉自在な一対のアーム４、５と、アーム４、５の一端側に形成され、液体検知シートが備える電極部材を挟持可能な挟持部４ａ、５ａと、アーム４及びアーム５に設けられ、磁力による吸引力により挟持部４ａ、５ａを閉じる方向に付勢するマグネット６ａ、６ｂと、アーム４、５の他端側に形成され、挟持部４ａ、５ａを開閉可能に操作する操作部７と、挟持部４ａ、５ａに設けられ、液体検知シートが備える電極部材に当接されるコネクタ側電極部材８ａ、８ｂとを備える。【選択図】図１
2014083072.tif 000002
【特許請求の範囲】
【請求項１】
外部の電極部に取り付け可能な電極コネクタであって、
支点を介して開閉自在な一対のアームと、
前記アームの一端側に形成され、前記電極部を挟持可能な挟持部と、
前記アームの片側に設けられ、磁力による吸引力により前記挟持部を閉じる方向に付勢する少なくとも１個のマグネットと、
前記アームの他方側に設けられ、前記マグネットの磁力で吸引されるマグネットまたは金属と、
前記アームの他端側に形成され、前記挟持部を開閉可能に操作する操作部と、
前記挟持部に設けられ、前記電極部に当接されるコネクタ側電極部と、
を備えたことを特徴とする電極コネクタ。
【請求項２】
前記外部の電極部は、シート状の液体検知シートに設けられたシート側電極部であることを特徴とする請求項１記載の電極コネクタ。
【請求項３】
前記液体検知シートは、針刺部に貼り付けられ、当該液体検知シートに設けられた前記シート側電極部に取り付け可能な請求項１または２記載の電極コネクタ。
【請求項４】
前記挟持部には、前記シート側電極部を所定の位置に装着するためのガイド部が設けられていることを特徴とする請求項１乃至３の何れかに記載の電極コネクタ。
【請求項５】
前記アームにおいて、前記コネクタ側電極部は、前記マグネットよりも前記挟持部側に配置されていることを特徴とする請求項１乃至４の何れかに記載の電極コネクタ。
【請求項６】
前記アームにおいて、前記コネクタ側電極部は、前記マグネットよりも前記支点側に配置されていることを特徴とする請求項１乃至４の何れかに記載の電極コネクタ。
【請求項７】
前記アームには、前記マグネットと前記支点との間の距離を変更する調整部を備えていることを特徴とする請求項１乃至４の何れかに記載の電極コネクタ。に記載の電極コネクタ。
【請求項８】
前記操作部は、一方のアームが他方のアームに対して前記支点を介して回動するように、前記一方のアームの前記挟持部と前記支点とを結ぶ線に対して所定の高さを有する形状をしていることを特徴とする請求項１乃至７の何れかに記載の電極コネクタ。
【発明の詳細な説明】
【技術分野】
【０００１】
本発明は、外部の電極部に取り付け可能な電極コネクタに関する。
【背景技術】
【０００２】
従来、透析・輸血・点滴等の治療中に、患者の腕などに穿刺した留置針が抜けることによる血液や薬液の漏れを検知するために、留置針を穿刺した箇所（穿刺部）に液体検知センサーを貼り付け、血液・薬液の液漏れや液体検知センサーの設置異常を検知する装置・手法が知られている（例えば、特許文献１）。このような液体検知センサーは、穿刺部に直接貼り付けられ、液体検知センサーが備える電極に電極コネクタが接続されることにより計測装置につなげられる。
【０００３】
上記電極コネクタとしては、特許文献２に記載されているクリップ８が使用できる。このクリップ８は、バネ材７による付勢力によって導電部４と挟持部５との間にシート状の導電端子１１（液体検知センサーが備える電極）を挟持することにより、シート状の導電端子１１とクリップ８とを接続している。
【先行技術文献】
【特許文献】
【０００４】
【特許文献１】実開平５−７９４６８号公報
【特許文献２】実開平６−７４１０３号公報
【発明の概要】
【発明が解決しようとする課題】
【０００５】
しかしながら、上記クリップ８の構成では導電部４と挟持部５との間にシート状の導電端子１１（液体検知センサーが備える電極）を挟持して固定するために必要な付勢力を得るためにバネ材７を使用しているが、付勢力を得るためには、バネ材自体をある程度大きくしなければならず、クリップ自体の小型化には不向きである。また、バネ材自体の構造が単純ではないため、バネ材をクリップに取り付ける際に手間がかかる場合がある。
【０００６】
そこで、本発明は、上記の問題を鑑みてなされたものであり、構造の単純化及び小型化を実現することができる電極コネクタを提供することを目的とする。
【課題を解決するための手段】
【０００７】
本発明の電極コネクタは、外部の電極部に取り付け可能な電極コネクタであって、支点を介して開閉自在な一対のアームと、前記アームの一端側に形成され、前記電極部を挟持可能な挟持部と、前記アームの片側に設けられ、磁力による吸引力により前記挟持部を閉じる方向に付勢する少なくとも１個のマグネットと、前記アームの他方側に設けられ、前記マグネットの磁力で吸引されるマグネットまたは金属と、前記アームの他端側に形成され、前記挟持部を開閉可能に操作する操作部と、前記挟持部に設けられ、前記電極部に当接されるコネクタ側電極部とを備えている。
【０００８】
上記構成によれば、使用者が一対のアームに形成された操作部を操作することによりマグネット部が吸引する方向に逆らって挟持部を開けて、開けた挟持部に外部の電極部を挟むことで、挟持部に設けられたコネクタ側電極部と外部の電極部とを容易に当接させて接続することができる。この際、マグネットの磁力による吸引力によって挟持部を閉じる方向に付勢しているので、バネなどの構造に比べて単純な構成にすることができ、電極コネクタの小型化を実現することができる。
また、互いのマグネット同士またはマグネットと金属が近づいた時に磁力が強まり吸引力を発揮するので、使用者が操作部で挟持部の開閉操作をする際に、使用者に手応え（操作感・クリック感）を与えることができる。これにより、使用者は電極コネクタの接続確認を容易にすることができる。
【０００９】
また、本発明の電極コネクタにおいて、前記外部の電極部は、シート状の液体検知シートに設けられたシート側電極部であってもよい。
【００１０】
上記構成によれば、挟持部によって液体検知シートを挟むことにより、挟持部に設けられたコネクタ側電極部と液体検知シートに設けられたシート側電極部とを容易に当接させて接続することができる。そして、挟持部によって液体検知シートを挟む際に、マグネット間又はマグネットと金属の間に、液体検知シートが挟み込まれたとしても磁力による吸引力によって挟持部を閉じる方向に付勢することができるので、バネなどの構造に比べて、マグネットまたは金属の設置スペースを小さくすることができるとともに、アームにマグネットまたは金属を配置する際の設計上の自由度を確保することができる。
【００１１】
また、本発明の電極コネクタは、前記液体検知シートが、針刺部に貼り付けられ、当該液体検知シートに設けられた前記シート側電極部に取り付け可能な構成としてもよい。
【００１２】
上記構成によれば、針刺部に貼り付けられた液体検知シートに設けられたシート電極部に電極コネクタを取り付けることができる。
【００１３】
また、本発明の電極コネクタにおいて、前記挟持部には、前記シート側電極部を所定の位置に装着するためのガイド部が設けられていてもよい。
【００１４】
上記構成によれば、ガイド部に沿ってシート側電極部を配置することにより、挟持部に設けられたコネクタ側電極部と前記シート側電極部を確実・容易に接続することができる。
【００１５】
また、本発明の電極コネクタの前記アームにおいて、前記コネクタ側電極部は、前記マグネットよりも前記挟持部側に配置されていてもよい。
【００１６】
上記構成によれば、外部の電極部を挟持部だけを使用して挟持することができる。このため、外部の電極部にコネクタ側電極部を容易に接続することができる。
【００１７】
また、本発明の電極コネクタの前記アームにおいて、前記コネクタ側電極部は、前記マグネットよりも前記支点側に配置されていてもよい。
【００１８】
上記構成によれば、外部の電極部を挟持部の挟持力及びマグネットによる吸引力により挟んで固定することができる。このため、外部の電極をより確実に電極コネクタに接続することができる。
【００１９】
また、本発明の電極コネクタの前記アームには、前記マグネットと前記支点との間の距離を変更する調整部を備えていてもよい。
【００２０】
上記構成によれば、開閉自在なアームの支点とマグネットの距離を調整することができるので挟持部の拡開時の付勢力を簡単に調整することができる。
【００２１】
また、本発明の電極コネクタにおいて、前記操作部は、一方のアームが他方のアームに対して前記支点を介して回動するように、前記一方のアームの前記挟持部と前記支点とを結ぶ線に対して所定の高さを有する形状をしていてもよい。
【００２２】
上記構成によれば、電極コネクタの他方のアームを患者の腕に沿わせた状態でも、所定の高さを有する操作部を押し込むことにより外部にある電極部を挟持することができる。また、電極コネクタが対象物に固定された後でも、所定の高さを有する操作部を押し込むことにより外部にある電極部に対する挟持を解除することができる。
【発明の効果】
【００２３】
構造の単純化及び小型化を実現することができる電極コネクタを提供することができる。
【図面の簡単な説明】
【００２４】
【図１】電極コネクタの斜視図である。
【図２】電極コネクタの使用例を示す説明図である。
【図３】（Ａ）電極コネクタの平面図である。（Ｂ）電極コネクタの正面図である。（Ｃ）電極コネクタの底面図である。
【図４】（Ａ）電極コネクタの右側面図である。（Ｂ）電極コネクタの左側面図である。（Ｃ）電極コネクタの背面図である。
【図５】電極コネクタの第１分解図である。
【図６】電極コネクタの第２分解図である。
【図７】電極コネクタのチューブへの嵌め込み方を説明する説明図である。
【図８】（Ａ）液体検知シートの表面の斜視図である。（Ｂ）液体検知シートの裏面の斜視図である。
【図９】液体検知シートの断面構造を示す説明図である。
【図１０】測定装置の電気的構成を示すブロック図である。
【図１１】測定装置が実行する漏液検知プログラムのフローチャートを示す図である。
【発明を実施するための形態】
【００２５】
以下、本発明の実施形態について、図面を参照しつつ説明する。
【００２６】
（電極コネクタの構成）  図１、図３及び図４に示すように、本実施形態の電極コネクタ１は、支点３を介して開閉自在な一対のアーム４、５と、アーム４、５の一端側に形成され、液体検知シート１１が備える電極部材１５ａ・１５ｂを挟持可能な挟持部４ａ、５ａと、アーム４及びアーム５に設けられ、磁力による吸引力により挟持部４ａ、５ａを閉じる方向に付勢するマグネット６ａ、６ｂと、アーム４、５の他端側に形成され、挟持部４ａ、５ａを開閉可能に操作する操作部７と、挟持部４ａ、５ａに設けられ、液体検知シート１１が備える電極部材１５ａ・１５ｂに当接されるコネクタ側電極部材８ａ、８ｂとを備えている。図２に示すように、電極コネクタ１のコネクタ側電極部材８ａ、８ｂは、コード３７ａを介して計測装置３７と電気的に接続されて使用される。
【００２７】
そして、電極コネクタ１は、図２に示すように、患者の腕３０に留置針３１（針刺部）を穿刺した穿刺部３２に貼り付けられた液体検知シート１１が備える電極部材１５ａ、１５ｂを挟持することにより接続される。この接続により、液体検知シート１１と計測装置３７が電気的に接続される。なお、この液体検知シート１１の電極部材１５ａ、１５ｂと電極コネクタ１の電極部材８ａ、８ｂとの接続が正常状態か、離脱状態かが確認できるように、電極コネクタ１のアーム４または５にＬＥＤなどの表示部を設けてもよい。更に、電極コネクタ１は、把持部２を備え、留置針３１に接続されたチューブ３３（針刺部）に把持部２を嵌め込むことにより電極コネクタ１が留置針３１に固定されることになる。
【００２８】
ここで、針刺部とは、留置針や注射針などのように直接患者の腕に穿刺される針状のものだけでなく、留置針や注射針などの針に接続されたチューブや注射筒などの器具も含まれる。
【００２９】
アーム４、５は、相対向する位置に配置され、アーム４がアーム５に対して支点３を回動中心にして回動自在に連結されている。具体的には、図５に示すように、アーム４の短手方向両端に設けられた凸部３ａ・３ｂを、アーム５の短手方向両端に設けられた凹部３ｃ・３ｄに嵌め込むことにより、アーム４はアーム５に対して支点３を回動中心にして連結されている（図６参照）。樹脂又は加硫ゴムが主材であるポリマーが例示される。更に、樹脂として、ポリウレタン系樹脂、エポキシ系樹脂、ポリプロピレン系樹脂、フェノール系樹脂及びシリコン系樹脂が例示される。
【００３０】
また、アーム４、５の一端側には、液体検知シート１１を挟持する挟持部４ａ、５ａが設けられている。なお、挟持部４ａ、５ａには、対向する位置に凹凸状の歯部を設けてもよい。この場合、挟持部４ａ、５ａによって液体検知シート１１を挟持する際に、液体検知シート１１に歯部が噛み込むので、液体検知シート１１をより強固に固定することができる。
【００３１】
挟持部４ａの内側、即ち、挟持部５ａに対向する位置には、図５に示すように、コネクタ側電極部材８ａ、８ｂを所定の位置に装着するためのガイド溝８ｃ・８ｄ（ガイド部）が設けられており、コネクタ側電極部材８ａ、８ｂがガイド溝８ｃ・８ｄに沿って取り付けられている。これにより、コネクタ側電極部材８ａ、８ｂは、長手方向が平行となるように配置され、互いに電気的に分離されるように、所定の間隔を有して配置されるので、コネクタ側電極部材８ａ、８ｂと電極部材１５ａ、１５ｂとを確実・容易に接続することができる。また、コネクタ側電極部材８ａ、８ｂには、液体検知シート１１に配置された電極部材１５ａ、１５ｂとの当接を容易にするために三角形状に突出した接点８ｅ・８ｆが形成されている。
【００３２】
コネクタ側電極部材８ａ、８ｂは、導電性を有すれば、どのような材質であっても構わないが、アルミや銅等の金属であることが好ましい。その他に、コネクタ側電極部材８ａ、８ｂを形成する金属材料としては、ニッケル、銅、銀、錫、金、パラジウム、アルミニウム、クロム、チタン、及び、亜鉛の何れか、またはこれらの２つ以上を含む合金等であってもよい。
【００３３】
また、アーム４、５の中央部には、図５に示すように、円柱状の穴部６ｃ・６ｄがそれぞれ形成されており、円柱形状をしたマグネット６ａ、６ｂがこの穴部６ｃ・６ｄにそれぞれ収納される。穴部６ｃ・６ｄは、マグネット６ａ、６ｂより若干大きめに設計されており、この穴部６ｃ・６ｄに接着剤によりマグネット６ａ、６ｂを固定している。これにより、マグネット６ａ、６ｂの磁力による吸引力により挟持部４ａと挟持部５ａとを閉じる方向に付勢することができる。なお、穴部６ｃ・６ｄは、マグネット６ａ、６ｂより若干小さめに設計された構成としてもよい。この場合、マグネット６ａ、６ｂを穴部６ｃ・６ｄに嵌め込むことで、マグネット６ａ、６ｂによる吸引力により外れない程度にマグネット６ａ、６ｂを穴部６ｃ・６ｄに固定することができる。
【００３４】
なお、本実施形態では、穴部６ｃ及び穴部６ｄの両方にマグネット６ａ、６ｂを収納しているが、一方の穴部にだけマグネットを収納し、他方の穴部に金属片を収納してもよい。例えば、穴部６ｃにマグネット６ａを収納し、他方の穴部６ｄに金属片を収納してもよいし、逆に、穴部６ｃに金属片を収納し、他方の穴部６ｄにマグネット６ａを収納してもよい。
【００３５】
アーム４、５における、コネクタ側電極部材８ａ、８ｂとマグネット６ａ、６ｂとの位置関係としては、コネクタ側電極部材８ａ、８ｂが、マグネット６ａ、６ｂよりも挟持部４ａ、５ａ側に配置されていることになる。換言すると、アーム４、５において、マグネット６ａ、６ｂが、コネクタ側電極部材８ａ、８ｂよりも支点３側に配置されていることになる。
【００３６】
また、アーム４の他端側には、支点３を回動中心にしてテコの原理により挟持部４ａ、５ａを拡開可能に操作する操作部７が設けられている。そして、操作部７の外側には、図３に示すように、使用者が指を添えた際の滑り止めになる凸部７ａが短手方向に平行になるように２つ設けられている。また、アーム４に設けられた操作部７は、アーム４がアーム５に対して支点３を介して回動するように、図３（Ｂ）に示すように、アーム４の挟持部４ａと支点３とを結ぶ線（面）に対して高さを有する段差形状７ｂに形成されている。これによって、電極コネクタ１のアーム５を患者の腕３０に沿わせた状態でも、段差形状７ｂを有する操作部７を押し込むことにより液体検知シート１１の電極部材１５ａ、１５ｂを挟持することができる。また、電極コネクタ１がチューブ３３に固定された後でも、段差形状７ｂを有する操作部７を押し込むことにより液体検知シート１１の電極部材１５ａ、１５ｂに対する挟持を解除することができる。操作部７の段差形状７ｂは流線形状であってもよい。すなわち、操作部７がアーム４の挟持部４ａと支点３とを結ぶ線（面）に対して高さを有する形状であればよい。また、留置針が腕３０に固定されているので、留置針３１に接続されたチューブ３３を把持部２で固定した電極コネクタ１も腕３０に沿うようになるので、液体検知シート１１の電極部材１５ａ、１５ｂとの接続状態も安定する。
【００３７】
また、アーム５の他端側には、把持部２が設けられている。把持部２は、図４（Ａ）及び（Ｂ）に示すように、断面視Ω形状をしている。そして、把持部２の材質としては、チューブ３３に嵌め込み易いように、弾力変形する弾性部材が使用される。この弾性部材としては、樹脂又は加硫ゴムが主材であるポリマーが例示される。更に、樹脂として、ポリウレタン系樹脂、エポキシ系樹脂、ポリプロピレン系樹脂、フェノール系樹脂及びシリコン系樹脂が例示される。
【００３８】
また、図４（Ａ）及び（Ｂ）に示すように、把持部２のリングの一部が分離した部分には、翼部２ａが設けられている。この翼部２ａは、例えば、腕３０に当接することにより、電極コネクタ１の腕３０に対する体勢を安定した状態（左右にずれないなど）で取り付けることができる。この翼部２ａの幅（大きさ）は取り付ける場所により適宜決めてもよい。また、把持部２をチューブ３３から取り外す際に、この翼部２ａを掴み、翼部２ａを拡げることにより、容易に把持部２をチューブ３３から取り外すことができる。
【００３９】
（液体検知シートの構成）
次に、電極コネクタ１が接続される液体検知シート１１について説明する。  図８及び図９に示すように、本実施形態の液体検知シート１１は、互いに電気的に分離された２つの電極部材１５ａ・１５ｂの間に接続された、抵抗部材１８及び液体の介在によって導電性を発揮する絶縁シート１４を備えている。そして、抵抗部材１８は、絶縁シート１４が導電性を発揮したときの抵抗値よりも大きな抵抗値であって、且つ、電極部材１５ａ・１５ｂに対するコネクタ側電極部材８ａ、８ｂの接続が解除されたときの電極部間の抵抗値よりも小さな抵抗値を有している。
【００４０】
ここで、『液体』は、液体検知シート１１による液状の検知対象物であり、液状であれば、材質や物性に限定されるものではない。液状は、絶縁シート１４に含浸する程度の流動性を有することを意味する。『液体』の種類としては、体液、薬液、純水や不純物を含む水の他、酸、アルカリ、油、有機溶剤等の有機物であってもよい。また、『液体』の物性は、液体検知シート１１が使用される環境温度下で液化している物質であれば良い。  
【００４１】
より具体的に説明すると、図９の断面図に示されるように、液体検知シート１１は、絶縁シート１４と、接着剤層１９と、抵抗部材１８と、２つの電極部材１５ａ・１５ｂと、粘着部材１６とが積層されている。
【００４２】
絶縁シート１４は、液体検知シート１１の外形と相似する、液体検知シート１１よりも小さな平面視四角形状の外形を有し、液体検知シート１１の中央部に配置される。この絶縁シート１４は、液体の介在により導電性を発揮すると共に、液体を吸液及び保持させる構造を有している。即ち、絶縁シート１４は、液体の浸透により全体として絶縁性から導電性に変化するように構成されている。また、絶縁シート１４の材質は、液体との非接触時において電気抵抗の大きな材質であれば、特に限定されるものではない。例えば、絶縁シート１４の材質としては、布や紙等のセルロースやセラミック、エンジニアリングプラスチックが例示される。
【００４３】
接着層１９は、粘着性物質で構成され、アクリル系樹脂、シリコン系樹脂、熱可塑性エラストマ系樹脂、ゴム系樹脂、ポリエステル系樹脂等が挙げられる。
【００４４】
電極部材１５ａ・１５ｂは、図８及び図９に示すように、長手方向が並行となるように配置される。電極部材１５ａ・１５ｂは、互いに電気的に分離されるように、所定の間隔を有して配置される。所定の間隔とは、液体検知シート１１を設置する雰囲気の湿度に反応して誤動作しない程度の間隔を意味する。
【００４５】
また、電極部材１５ａ・１５ｂは、金属層５２と、導電性接着剤層５１とが積層された構成となっている。尚、電極部材１５ａ・１５ｂの先端部は、導電性接着剤層５１が積層されていない。
【００４６】
金属層５２は、接着部５２ａと、引き出し部５２ｂとから構成される。接着部５２ａは、金属層５２の導電性接着剤層５１が積層される部分であり、粘着部材１６の粘着剤６１に接着される。電極部材１５ａ・１５ｂの各引き出し部５２ｂは、各接着部５２ａから延在し、接着部５２ａとの接続部分から粘着部材１６に形成された２つの貫通口６３・６３に夫々挿通されて反対側の面に位置するようにされている。電極部材１５ａ・１５ｂの各接着部５２ａは、粘着部材１６の粘性により保持されていると共に、絶縁シート１４によって全面が覆われている。換言すれば、粘着部材１６は、貫通口６３を有したシート状に形成されており、電極部材１５ａ・１５ｂは、粘着部材１６の一方面側において各接着部５２ａが保持されており、各引き出し部５２ｂが貫通口６３・６３を介して他方面側に位置されている構成になっている。
【００４７】
なお、金属層５２は、導電性を有すれば、どのような材質であっても構わないが、アルミや銅等の金属であることが好ましい。金属層５２を形成する金属材料としては、ニッケル、銅、銀、錫、金、パラジウム、アルミニウム、クロム、チタン、及び、亜鉛の何れか、またはこれらの２つ以上を含む合金等であってもよい。
【００４８】
抵抗部材１８は、２つの電極部材１５ａ・１５ｂにまたがるように接触状態で載置され、接着剤層１９の接着性により絶縁シート１４に接着されている。即ち、抵抗部材１８は、絶縁シート１４と電極部材１５ａ・１５ｂとの間に挟持されるように、接着層１９によって絶縁シート１４に接着される。
【００４９】
また、抵抗部材１８は、導電性を有し、絶縁シート１４が導電性を発揮したときの抵抗値よりも大きい値に設定することが可能であれば、どのような材質であっても構わないが、カーボンであることが好ましい。特にケッチェンブラック（商標）等のカーボンブラックを用いたカーボンインクを、絶縁シート１４や基材に印刷することにより形成されることが好ましい。尚、基材の材料としては、布や紙等のセルロースやセラミック、エンジニアリングプラスチックが例示される。エンジニアリングプラスチックとしては、ポリプロピレン、架橋ポリエチレン、ポリエステル、ポリベンツイミダゾール、アラミド、ポリイミド、ポリイミドアミド、ポリエーテルイミド、ポリフェニレンサルファイド（ＰＰＳ）、ポリエチレンナフタレート（ＰＥＮ）、ポリエチレンテレフタレート（ＰＥＴ）などが挙げられる。
【００５０】
また、粘着部材１６は、粘着剤６１と、粘着用フィルム６２とが積層されるとともに、粘着剤６１と粘着用フィルム６２とを貫通する貫通口６３・６３が形成された構成となっている。そして、粘着部材１６は、絶縁シート１４及び電極部材１５ａ・１５ｂを保持すると共に、これら絶縁シート１４、電極部材１５ａ・１５ｂ及び抵抗部材１８を覆うように形成される。粘着部材１６は露出箇所に粘着性を有している。従って、液体検知シート１１の絶縁シート１４、電極部材１５ａ・１５ｂ及び抵抗部材１８を粘着部材１６により容易に所望箇所に取り付けることが可能になる。粘着用フィルム６２は、粘着剤６１のベースフィルムとなるものであり、液体検知シート１１における絶縁シート１４とは反対側の面に配置されている。粘着用フィルム６２は、絶縁シート１４及び電極部材１５ａ・１５ｂよりも大きなサイズに形成されている。これにより、粘着用フィルム６２は、粘着剤６１の保持と共に、設置状態の液体検知シート１１における絶縁シート１４及び電極部材１５ａ・１５ｂをカバーすることによって、絶縁シート１４及び電極部材１５ａ・１５ｂを衝撃や擦れによる外力から保護するようになっている。なお、粘着部材１６の先端部の粘着用フィルム６２には、粘着剤６１が積層されていない。  
【００５１】
また、液体検知シート１１は、医療用では滅菌処理が施されていることが好ましい。特に、液体検知シート１１は、エチレンオキサイドガス（ＥＯＧ）による滅菌処理が施されていることが好ましい。
【００５２】
なお、液体検知シート１１には、粘着部材１６の外形状と同一形状である剥離シート１３が設けられていても良い。剥離シート１３は、粘着剤６１の粘着性を長期に亘って維持することを可能にすると共に、必要なときにだけ液体検知シート１１の設置対象に対する粘着性を発揮させることを可能にする。これにより、剥離シート１３は、液体検知シート１１の設置前状態において、粘着部材１６とで絶縁シート１４及び電極部材１５ａ・１５ｂを保護することを可能にしている。
【００５３】
上記液体検知シート１１によれば、液体検知シート１１が備える電極部材１５ａ・１５ｂ電極部間の抵抗値若しくはコネクタ側電極部材８ａ、８ｂ間の抵抗値を測定することによって、絶縁シートが導電性を発揮する漏液状態と、液体検知シートが備える電極部に対するコネクタ側電極部の接続が解除された離脱状態と、これらの状態以外の正常状態（絶縁シートが導電性を発揮していない状態）との３つの状態を検知することができる。
なお、液体検知シート１１は一例であって、絶縁シート１４、抵抗部材１８、電極部材１５ａ・１５ｂ、の構成であれば、適宜材料、構造などは変えてもよい。
【００５４】
（電極コネクタの使用例）
次に、電極コネクタ１の使用例を説明する。
図２に示すように、輸血や点滴等の治療中に、患者の腕３０に穿刺した留置針３１が抜けたり外れたりすることによる血液や薬液の漏れや留置針３１の異常を検知するために、留置針３１を穿刺した穿刺部３２に液体検知シート１１を貼り付けた場合について説明する。
【００５５】
先ず、留置針３１を患者の腕３０の適切な箇所に穿刺する。次に、剥離シート１３を備えた液体検知シート１１であれば、剥離シート１３を剥がし、留置針３１を穿刺した穿刺部３２に絶縁シート１４が接するように液体検知シート１１を貼り付ける。
【００５６】
次に、使用者は、図２および図７に示すように、点滴筒３８に入れられた血液や薬液を点滴筒３８から留置針３１に送液するチューブ３３に把持部２を嵌め込む。この際、把持部２は、弾性部材により形成されているので、把持部２が弾性変形することにより、把持部２をチューブ３３に容易に嵌め込むことができる。
【００５７】
次に、使用者は、電極コネクタ１の操作部７を下方に押し込むことにより、マグネット６ａ、６ｂの磁力による吸引力に逆らって挟持部４ａ、５ａを開ける。そして、開けた挟持部４ａ、５ａに配置されたコネクタ側電極部材８ａ、８ｂがそれぞれ、液体検知シート１１に配置された電極部材１５ａ・１５ｂに当接する位置まで電極コネクタ１を移動させて挟持部４ａ、５ａを閉じる。これにより、電極コネクタ１と液体検知シート１１とが電気的に接続される。即ち、液体検知シート１１の電極部材１５ａ・１５ｂは、電極コネクタ１を介して、計測装置３７が抵抗値を検出可能に接続される。
【００５８】
なお、上記説明では、電極コネクタ１の把持部２をチューブ３３に嵌め込んでから電極コネクタ１と液体検知シート１１とを接続する場合について説明したが、この順序は逆でもよい、即ち、電極コネクタ１と液体検知シート１１とを接続してから、電極コネクタ１の把持部２をチューブ３３に嵌め込んでもよい。
【００５９】
これにより、穿刺部３２において漏液が起こると、絶縁シート１４は、液体が浸透されることによって導電性を発揮する。これにより、抵抗部材１８のみによって導通されていた電極部材１５ａ・１５ｂが、絶縁シート１４を介しても電気的に接続されることになる。導電性を発揮した絶縁シート１４は、抵抗部材１８（正常状態での抵抗値）よりも低い抵抗値になるため、計測装置３７が示す電気抵抗も低い抵抗値に変化することになる。これにより、漏液が検出されることになる。
【００６０】
また、患者の動作などの何らかの原因により、液体検知シート１１が備える電極部材１５ａ・１５ｂに対する電極コネクタ１のコネクタ側電極部材８ａ、８ｂの接続が解除された場合、計測装置３７が示す電気抵抗は、抵抗部材１８（正常状態での抵抗値）よりも高い抵抗値に変化することになる。これにより、電極コネクタ１が液体検知シート１１から離脱して、液体検知シート１１が備える電極部材１５ａ・１５ｂに対するコネクタ側電極部材８ａ、８ｂの接続が解除されたことを電極コネクタ１の離脱状態として検出されることになる。なお、本実施形態に係る電極コネクタ１では、把持部２をチューブ３３に装着することで、電極コネクタ１をチューブ３３に一体的に固定することができるので、電極コネクタ１が液体検知シート１１から離脱して接続が解除された場合の離脱状態は、抵抗値に基づいて留置針３１が抜針した状態として検知することができる。前記正常状態および離脱状態についてはアーム４またはアーム５に取り付けられたＬＥＤで表示（点灯、消灯）してもよい。
【００６１】
（計測装置による検知動作）
ここで、計測装置３７及びその動作について説明する。
計測装置３７は、上述のように電極コネクタ１の電極部材５ａ・５ｂを介して液体検知シート１１の電極部材１５ａ・１５ｂに接続されることで、電極部材１５ａ・１５ｂ間の抵抗値および電極部材５ａ・５ｂ間の抵抗値を検出する機能を有している。これにより、液体検知シート１１（検出部７０）の状態（正常状態、漏液状態、及び、抜針状態（電極コネクタ１が液体検知シート１１から離脱した離脱状態等））を検出することができる。
【００６２】
具体的に、図１０に示すように、計測装置３７は、演算部７９、端子部７１、Ａ／Ｄ変換部７７、入力部７３、スピーカ７４、表示部７２、電源部７５、通信インターフェース７６、ＲＯＭ７８１、及び、ＲＡＭ７８２を有している。
【００６３】
端子部７１は、上述のように、検出部７０の抵抗値を検出しＡ／Ｄ変換部７７を介して演算部７９に抵抗値を送信する。演算部７９は、電源部７５からの電力供給により、各種プログラムを実行するとともに、各種アクチュエータの動作を制御する。具体的に、演算部７９は、後述の漏液検知プログラムを、端子部７１からの抵抗値に基づいて検出部７０の状態を決定する。漏液検知プログラム等の各種プログラムは、ＲＯＭ７８１やＲＡＭ７８２の記憶手段に格納される。また、演算部７９は、決定した検出部７０の状態に応じて、スピーカ７４や液晶表示装置等の表示部７２に検出部７０の状態を報知する。また、スイッチ、キーボード、及び、マウス等の入力部７３により、検知の開始・終了や、検出部７０の状態を判定するための閾値等の設定が可能となっている。このような設定値は、ＲＡＭ７８２に格納される。
【００６４】
また、演算部７９は、通信インターフェース７６を介して、検出部７０の状態に基づく信号を外部へ出力することが可能となっている。例えば、穿刺部３２からの液漏れを検出した場合、他のシステムに信号を出力する等が可能であり、例えば、離れた場所への警報や、液漏れ時の自動対応（例えば、システムの自動停止）等が可能となっている。
【００６５】
次に、計測装置３７における演算部７９が実行する漏液検知プログラムについて説明する。尚、本実施形態では、電極部材１５ａ・１５ｂ間の抵抗値のことをセンサー抵抗値と称す。
【００６６】
図１１に示すように、先ず、開始操作が行われたか否かが判定される（Ｓ１）。具体的には、入力部７３において外部から開始の操作が行われ、当該操作を示す信号が演算部７９に送信されたか否かが判定される。開始操作が行われない場合（Ｓ１：ＮＯ）、Ｓ１の処理を再度実行する。即ち、開始操作を待機する待機状態となる。
【００６７】
一方、開始操作が行われた場合（Ｓ１：ＹＥＳ）、センサー抵抗値を取得する（Ｓ２）。その後、離脱状態閾値が決定される（Ｓ３）。具体的に、離脱状態閾値は、電極コネクタ電極部材８ａ、８ｂと電極部材１５ａ・１５ｂとの間の接続が解除された離脱状態を判定するための閾値である。尚、離脱状態の閾値は、電極コネクタ電極部材８ａ・８ｂ間が完全に非導通となる値（抵抗値が無限大）に設定してもよい。本実施形態では、液体検知シート１１を穿刺部３２に貼り付けたときのセンサー抵抗値に第１所定値を加算した値を離脱状態閾値とする。第１所定値は、設置対象の環境に応じて予め適宜設定される。
【００６８】
そして、漏液閾値が決定される（Ｓ４）。具体的に、漏液閾値は、絶縁シート１４が漏液により導電性を発揮し、電極部材１５ａ・１５ｂ間が絶縁シート１４により導通した漏液状態を判定するための閾値である。液体検知シート１１では、導電性を発揮した絶縁シート１４よりも抵抗部材１８の抵抗値が大きく設定されるため、漏液閾値は、導電性を発揮した絶縁シート１４と、抵抗部材１８との間の抵抗値が設定される。本実施形態では、液体検知シート１１を穿刺部３２に貼り付けたときのセンサー抵抗値に第２所定値を減算した値を漏液閾値とする。第２所定値は、絶縁シート１４や漏れを検出する液体の物性に応じて予め適宜設定される。
【００６９】
このように、液体検知シート１１ごとに閾値を定めることで、液体検知シート１１ごとに抵抗値が異なる場合であってもバラツキを補正することができる。
【００７０】
その後、液体検知シート１１が正常であるか否かを判定する。具体的に、決定した離脱状態閾値が、計測装置３７の測定範囲上限値以上であるか否かが判定される（Ｓ５）。尚、離脱状態閾値として無限大を許容する場合は、この処理を行わなくてもよい。決定した離脱状態閾値が、計測装置３７の測定範囲上限値以上でない場合（Ｓ５：ＮＯ）、決定した漏液閾値が、計測装置３７の測定範囲下限値以下であるか否かが判定される（Ｓ６）。決定した漏液閾値が、計測装置３７の測定範囲下限値以下でない場合（Ｓ６：ＮＯ）、検知動作が開始される。
【００７１】
検知動作が開始されると、センサー抵抗値が取得される（Ｓ７）。そして、取得したセンサー抵抗値が離脱状態閾値以上であるか否かが判定される（Ｓ８）。センサー抵抗値が離脱状態閾値異常でない場合（Ｓ８：ＮＯ）、取得したセンサー抵抗値が離脱状態閾値以上であるか否かが判定される（Ｓ９）。センサー抵抗値が離脱状態閾値以上でない場合（Ｓ９：ＮＯ）、Ｓ７の処理に戻って、検知動作が継続される。
【００７２】
一方、Ｓ５、Ｓ６、Ｓ８、及び、Ｓ９の各異常判定処理において、異常であると判定された場合（離脱状態閾値が計測装置３７の測定範囲上限値以上である場合（Ｓ５：ＹＥＳ）、漏液閾値が計測装置３７の測定範囲下限値以下である場合（Ｓ６：ＹＥＳ）、センサー抵抗値が離脱状態閾値以上である場合（Ｓ８：ＹＥＳ）、センサー抵抗値が離脱状態閾値以上である場合（Ｓ９：ＹＥＳ））は、次の処理が実行される。
即ち、Ｓ５、Ｓ６、Ｓ８、及び、Ｓ９の各異常判定処理において、異常である場合、警報処理が実行される（Ｓ１０）。具体的に、スピーカ７４が制御されて警報音が出力されると共に、表示部７２に異常である旨の表示がなされる。その後、警報解除処理が行われる（Ｓ１１）。警報解除処理は、液体検知シート１１の管理者等によって入力部７３への警報解除の操作がなされることを契機として、上記の警報処理が停止される処理である。そして、検知動作を継続するか否かが判定される（Ｓ１２）。即ち、液体検知シート１１の管理者等による入力部７３への操作が、現在の検知動作を継続するか否かのいずれを示すものであるかを判定する。尚、上記いずれかの操作を行うように、表示部７２に示すものであってもよい。
【００７３】
入力操作が現在の検知動作を継続するものである場合（Ｓ１２：ＹＥＳ）、Ｓ７の処理に戻って、検知動作が継続される。入力操作が現在の検知動作を継続するものでない場合（Ｓ１２：ＮＯ）、本プログラムが終了される。
【００７４】
尚、Ｓ１０の警報処理においては、どのような状態であるかが識別可能な態様で報知されることが好ましい。即ち、Ｓ５、Ｓ６、Ｓ８、及び、Ｓ９の各異常判定処理において、異常であると判定した場合は、どのような異常であるかを識別可能な識別情報を記憶手段に記憶しておき、警報処理においては、識別情報に応じて、スピーカ７４における音声の出力態様や、表示部７２における表示態様を異ならせてもよい。また、識別情報を、通信インターフェース７６を介して外部へ出力してもよい。
【００７５】
上記電極コネクタ１によれば、使用者がアーム４に形成された操作部７を操作することによりマグネット６ａ、６ｂが吸引する方向に逆らって挟持部４ａ、５ａを開けて、開けた挟持部４ａ、５ａに液体検知シート１１の電極部材１５ａ・１５ｂを挟むことで、挟持部４ａ、５ａに設けられたコネクタ側電極部材８ａ、８ｂと電極部材１５ａ・１５ｂとを容易に当接させて接続することができる。この際、マグネット６ａ、６ｂの磁力による吸引力によって挟持部４ａ、５ａを閉じる方向に付勢しているので、板バネやコイルバネなどのバネを使用した構造に比べて単純な構成にすることができ、電極コネクタ１の小型化を実現することができる。
また、互いのマグネット６ａ、６ｂ同士（またはマグネット６ａと金属片）が近づいた時に磁力が強まり吸引力を発揮するので、使用者が操作部７で挟持部４ａ、５ａの開閉操作をする際に、使用者に手応え（操作感・クリック感）を与えることができる。これにより、使用者は電極コネクタ１の液体検知シート１１に対する接続確認を容易にすることができる。
【００７６】
また、上記電極コネクタ１によれば、挟持部４ａ、５ａによって液体検知シート１１を挟むことにより、挟持部４ａ、５ａに設けられたコネクタ側電極部材８ａ、８ｂと液体検知シート１１に設けられた電極部材１５ａ・１５ｂとを容易に当接させて接続することができる。そして、挟持部４ａ、５ａによって液体検知シート１１を挟む際に、マグネット６ａ、６ｂ間（又はマグネットと金属片の間）に、液体検知シート１１が挟み込まれたとしても磁力による吸引力によって挟持部４ａ、５ａを閉じる方向に付勢することができるので、バネなどを使用した構造に比べて、マグネット６ａ、６ｂ（または金属片）の設置スペースを小さくすることができるとともに、アーム４、５にマグネット６ａ、６ｂ（または金属片）を配置する際の設計上の自由度を確保することができる。
【００７７】
また、上記電極コネクタ１によれば、留置針３１が穿刺された穿刺部３２に貼り付けられた液体検知シート１１に設けられた電極部材１５ａ・１５ｂに電極コネクタ１を取り付けることができる。
【００７８】
また、上記電極コネクタ１では、挟持部４ａの内側、即ち、挟持部５ａに対向する位置には、図５に示すように、コネクタ側電極部材８ａ、８ｂを所定の位置に装着するためのガイド溝８ｃ・８ｄ（ガイド部）を設けている。これにより、ガイド溝８ｃ・８ｄに沿って電極部材１５ａ・１５ｂを配置することで、挟持部４ａ、５ａに設けられたコネクタ側電極部材８ａ、８ｂと電極部材１５ａ・１５ｂとを確実・容易に接続することができる。
【００７９】
また、上記電極コネクタ１のアーム４、５における、コネクタ側電極部材８ａ、８ｂとマグネット６ａ、６ｂとの位置関係としては、コネクタ側電極部材８ａ、８ｂが、マグネット６ａ、６ｂよりも挟持部４ａ、５ａ側に配置されている。これにより、液体検知シート１１の電極部材１５ａ・１５ｂを挟持部４ａ、５ａだけを使用して挟持することができる。このため、液体検知シート１１の電極部材１５ａ・１５ｂにコネクタ側電極部材８ａ、８ｂを容易に接続することができる。
【００８０】
また、上記電極コネクタ１によれば、電極コネクタ１のアーム５を患者の腕３０に沿わせた状態でも、段差形状７ｂを有する操作部７を押し込むことにより液体検知シート１１の電極部材１５ａ・１５ｂを挟持することができる。また、電極コネクタ１がチューブ３３に固定された後でも、段差形状７ｂを有する操作部７を押し込むことにより液体検知シート１１の電極部材１５ａ・１５ｂに対する挟持を解除することができる。
【００８１】
（その他の実施形態）
以上のように、本実施形態の電極コネクタ１について説明したがこれに限定されるものではない。
【００８２】
例えば、上記実施形態では、アーム４、５における、コネクタ側電極部材８ａ、８ｂとマグネット６ａ、６ｂとの位置関係として、コネクタ側電極部材８ａ、８ｂが、マグネット６ａ、６ｂよりも挟持部４ａ、５ａ側に配置されているが、これに限らず、逆に、コネクタ側電極部材８ａ、８ｂが、マグネット６ａ、６ｂよりも支点３側に配置された構成としてもよい。換言すれば、アーム４、５において、マグネット６ａ、６ｂが、コネクタ側電極部材８ａ、８ｂよりも挟持部４ａ、５ａ側に配置されていてもよい。この場合、液体検知シート１１を挟持部４ａ、５ａ及びマグネット６ａ、６ｂによる吸引力により挟んで固定することができる。このため、液体検知シート１１をより確実に電極コネクタ１に接続することができる。
【００８３】
また、上記実施形態では、アーム４、５の中央部には、円柱状の穴部６ｃ・６ｄがそれぞれ形成されており、円柱形状をしたマグネット６ａ、６ｂがこの穴部６ｃ・６ｄにそれぞれ収納される。しかし、これに限らず、アーム４、５において、支点３から挟持部４ａ、５ａに向かって、複数の穴部を設けた構成としてもよい。例えば、アーム４の支点３から挟持部４ａとの間に３つの穴部を設ける。そして、アーム５の支点３から挟持部５ａとの間に、アーム４に設けられた３つの穴部に対向する位置に３つの穴部を設ける構成である。この場合、マグネット６ａ、６ｂを所望の穴部に収納することにより、アーム４、５の支点３とマグネット６ａ、６ｂとの間の距離を調整することができる。即ち、上記のようにアーム４、５に設けられた複数の穴部がマグネット６ａ、６ｂと支点３との間の距離を変更する調整部の役割を果たすことになる。
【００８４】
これによれば、開閉自在なアーム４、５の支点３とマグネット６ａ、６ｂの距離を調整することができるので挟持部４ａ、５ａの拡開時の付勢力を簡単に調整することができる。
【００８５】
また、電極コネクタ１と把持部２は一体成型されたものであってもよいし、両者がボールジョイントのように結合されて、把持部２が回動自在に動くようにしてもよい。
【００８６】
また、本実施形態の電極コネクタ１は、液体検知シート１１に対して使用したが、これに限らず、外部に電極を備えた器具と計測装置とを接続するために使用できる。その場合図１〜図７には把持部２が設けられているが、把持部２を設けない構成（把持部のない電極コネクタ）であってもよい。例えば、心電図を測定する装置や脳波を測定する装置や脈拍を測定する装置にも活用することができる。
【００８７】
以上の詳細な説明では、本発明をより容易に理解できるように、特徴的部分を中心に説明したが、本発明は、以上の詳細な説明に記載する実施形態に限定されず、その他の実施形態にも適用することができ、その適用範囲は可能な限り広く解釈されるべきである。
【００８８】
また、本明細書において用いた用語及び語法は、本発明を的確に説明するために用いたものであり、本発明の解釈を制限するために用いたものではない。また、当業者であれば、本明細書に記載された発明の概念から、本発明の概念に含まれる他の構成、システム、方法等を推考することは容易であると思われる。従って、請求の範囲の記載は、本発明の技術的思想を逸脱しない範囲で均等な構成を含むものであるとみなされるべきである。また、本発明の目的及び本発明の効果を充分に理解するために、すでに開示されている文献等を充分に参酌することが望まれる。
【符号の説明】
【００８９】
１  電極コネクタ
２  把持部
３  支点
４、５  アーム
４ａ、５ａ  挟持部
６ａ、６ｂ  マグネット
７  操作部
８ａ、８ｂ  コネクタ側電極部材
１１  液体検知シート
１５ａ・１５ｂ  電極部材
【図１】
2014083072.tif 000003
【図２】
2014083072.tif 000004
【図３】
2014083072.tif 000005
【図４】
2014083072.tif 000006
【図５】
2014083072.tif 000007
【図６】
2014083072.tif 000008
【図７】
2014083072.tif 000009
【図８】
2014083072.tif 000010
【図９】
2014083072.tif 000011
【図１０】
2014083072.tif 000012
【図１１】
2014083072.tif 000013